(57)【要約】【課題】訴求性に優れ、観音開きの包装箱等に適用できる訴求用仕掛けを提供する。【解決手段】対称に開閉する一対の扉板１７の間に、基折線８を介して帯状の表示部材１を渡し、表示部材１には、隣接する一対の表示板２の両側に、中折片３及び端折片４を順次設け、表示板２同士の境界に第１谷折線５を、表示板２と中折片３との境界に第１山折線６を、中折片３と端折片４との境界に第２谷折線７をそれぞれ入れ、第１谷折線５に対して両側の第１山折線６を平行とし、第１山折線６に対して両側の第２谷折線７を対称に４５°傾斜させ、第２谷折線７に対して基折線８を９０°傾斜させる。両側の扉体１７を開くと、表示板２が反転し、表示板２の表裏で異なる訴求をすることにより、顧客に強い印象を与えることができる。【選択図】図５
2008120438.tif 000002
【特許請求の範囲】
【請求項１】
対称に開閉する一対の扉板の間に、基折線(8)を介して帯状の表示部材(1)を渡し、表示部材(1)には、隣接する一対の表示板(2)の両側に、中折片(3)及び端折片(4)を順次設け、表示板(2)同士の境界に第１谷折線(5)を、表示板(2)と中折片(3)との境界に第１山折線(6)を、中折片(3)と端折片(4)との境界に第２谷折線(7)をそれぞれ入れ、第１谷折線(5)に対して両側の第１山折線(6)を平行とし、第１山折線(6)に対して両側の第２谷折線(7)を対称に４５°傾斜させ、第２谷折線(7)に対して基折線(8)を９０°傾斜させ、両側の扉体を開くと、表示板(2)が反転するようにした訴求用仕掛け。
【発明の詳細な説明】
【技術分野】
【０００１】
この発明は、包装箱や商品解説の栞等に備えられる訴求用仕掛けに関するものである。
【背景技術】
【０００２】
従来、訴求効果を高める仕掛けを備えた包装箱として、図１５に示すように、身箱５１に内蓋５２及び外蓋５３を順次連設して、内蓋５２と外蓋５３とに折目５４を有する表示部材５５を渡し、外蓋５３を内蓋５２に重ねるように閉じる際、表示部材５５を折目５４に沿って折り込んでおき、外蓋５３を開くと、表示部材５５が起き上がるようにしたものが知られている（下記特許文献１参照）。
【０００３】
【特許文献１】実開昭５９−１６８１３号公報
【発明の開示】
【発明が解決しようとする課題】
【０００４】
しかしながら、上記のような仕掛けでは、片面の印刷でしか訴求することができず、訴求力が弱いという問題があり、また、対称に開閉する観音開き扉のような蓋を備えた包装箱には適用できないという問題があった。
【０００５】
そこで、この発明は、訴求性に優れ、観音開きの包装箱等に適用できる訴求用仕掛けを提供することを課題とする。
【課題を解決するための手段】
【０００６】
上記のような課題を解決するため、この発明に係る訴求用仕掛けは、対称に開閉する一対の扉板の間に、基折線を介して帯状の表示部材を渡し、表示部材には、隣接する一対の表示板の両側に、中折片及び端折片を順次設け、表示板同士の境界に第１谷折線を、表示板と中折片との境界に第１山折線を、中折片と端折片との境界に第２谷折線をそれぞれ入れ、第１谷折線に対して両側の第１山折線を平行とし、第１山折線に対して両側の第２谷折線を対称に４５°傾斜させ、第２谷折線に対して基折線を９０°傾斜させ、両側の扉体を開くと、表示板が反転するようにしたのである。
【発明の効果】
【０００７】
この訴求用仕掛けは、扉板を蓋とする観音開きの包装箱や商品説明用の栞等に適用することができ、一対の扉板を開くと、その間に渡された表示部材の表示板が反転するので、表示板の表裏で異なる訴求をすることにより、顧客に強い印象を与えることができる。
【発明を実施するための最良の形態】
【０００８】
まず、この発明の第１実施形態として仕掛けを備えた包装箱について説明する。
【０００９】
この包装箱は、例えば、菓子等の商品の販売促進活動に使用されるものであり、図１に示すような板紙のブランクから形成される。このブランクでは、各一対の側壁１１及び端壁１２が交互に連設され、一方の側壁１１の外側には継代片１３が連設されている。側壁１１及び端壁１２の下端にはそれぞれ底板１４が連設され、各端壁１２の上端にはそれぞれ蓋受片１５，１６が連設されている。
【００１０】
側壁１１の上端には、扉板１７、内側板１８及び内底板１９が順次連設され、扉板１７には、中間部に二つ折り用の罫線が入れられると共に、その罫線から半円形に切り込んで半分を曲げられるようにした係止片２０が設けられている。
【００１１】
扉板１７の組立時に内側となる部分の対向縁は、基端側へ向けて切れ込むように傾斜しており、その傾斜縁の間には、表示部材１が渡されている。
【００１２】
表示部材１には、隣接する一対の表示板２の両側に、中折片３及び端折片４が順次設けられ、表示板２同士の境界に第１谷折線５が、表示板２と中折片３との境界に第１山折線６が、中折片３と端折片４との境界に第２谷折線７がそれぞれ入れられている。
【００１３】
第１谷折線５に対して両側の第１山折線６は平行とされ、第１山折線６に対して両側の第２谷折線７は対称に４５°傾斜し、第２谷折線７に対して基折線８は９０°傾斜している。一側の第１山折線６及び両側の第２谷折線７は、押罫線と切目から成るリード罫とされ、基折線８は、谷折り用の押罫線とされている。
【００１４】
また、表示板２には、表面と裏面とに、商品の特徴等を強調したそれぞれ異なる文字や図柄が印刷されている。
【００１５】
上記のようなブランクを組み立てて商品を包装するには、図２に示すように、各一対の側壁１１及び端壁１２を角筒状に折り曲げ、継代片１３を反対側の端壁１２に貼り付け、隣接する底板１４を貼り合せて底面を閉止する。このとき、表示部材１は、第１山折線６沿いにコ字状に折り曲げられた状態となっている。
【００１６】
次に、扉板１７を罫線沿いに内側へ二つ折りにして、側壁１１の内面に内側板１８を重ね、底板１４の上面に内底板１９を重ねて、内底板１９の先端同士を突き合わせる。これにより、内側板１８及び内底板１９の迫り出しが防止され、表示部材１は、第２谷折線７沿いに折り曲げられて、中折片３と端折片４とが重なり合った状態となる。
【００１７】
そして、箱内に商品を収納し、蓋受片１５，１６を内側水平方向へ折り曲げ、両側の扉板１７を閉じると、表示部材１は、一側の第１山折線６沿いに１８０°折れ曲がり、他側の第１山折線６では折れ曲がらず、表示板２同士が第１谷折線５沿いに１８０°折れ曲がって重なり合う状態で、蓋受片１５と扉板１７との間に挟み込まれる。
【００１８】
その後、両側の扉板１７の係止片２０をそれぞれ屈伸して、係止片２０同士を相互に噛み合わせると、扉板１７が閉じた状態に保持され、包装箱は封緘される。
【００１９】
一方、商品の販売促進等のため、この包装箱を開封する際には、図３及び図４に示すように、係止片２０同士の噛み合いを解除して、両側の扉板１７を開くと、扉板１７の開度が大きくなるに従って、表示部材１の表示板２同士がなす角度が開き、表示板２の表面の印刷により、商品をＰＲすることができる。
【００２０】
そして、扉板１７の開度が１８０°に近づくと、図５に示すように、表示部材１の各折曲部分が引き延ばされて、表示板２が反転するので、表示板２の裏面の印刷により、商品をＰＲすることができ、訴求効果を高めることができる。
【００２１】
また、上記のような包装箱は、表示部材１が他の部分と一体化されているので、製造に際して、ブランクを一時に打ち抜くことができ、糊貼り加工を通常のワンタッチグルアで容易に行うことができる。
【００２２】
次に、この発明の第２実施形態として仕掛けを備えた栞について説明する。
【００２３】
この栞は、図６に示すような板紙のブランクから形成される。このブランクでは、一対の扉板２１の間に背板２２が介設され、各扉板２１の一端に三角形の折曲片２３が連設されている。対向する折曲片２３の傾斜縁の間には、表示部材１が渡されている。
【００２４】
表示部材１には、隣接する一対の表示板２の両側に、中折片３及び端折片４が順次設けられ、表示板２同士の境界に第１谷折線５が、表示板２と中折片３との境界に第１山折線６が、中折片３と端折片４との境界に第２谷折線７がそれぞれ入れられている。
【００２５】
第１谷折線５に対して両側の第１山折線６は平行とされ、第１山折線６に対して両側の第２谷折線７は対称に４５°傾斜し、第２谷折線７に対して基折線８は９０°傾斜している。両側の第２谷折線７は、押罫線と切目から成るリード罫とされ、基折線８は、山折り用の押罫線とされている。
【００２６】
また、表示板２には、表面と裏面とに、商品の特徴等を強調したそれぞれ異なる文字や図柄が印刷されている。
【００２７】
上記のようなブランクから栞を形成するには、図７に示すように、折曲片２３を内側に折り込んで、扉板２１の内面に折曲片２３を貼り付け、扉板２１を閉じるように折り曲げつつ、表示部材１を、基折線８沿いに折り返して、第１谷折線５、第１山折線６、第２谷折線７沿いに折り曲げる。
【００２８】
そして、扉板２１を完全に閉じ、表示部材１を、一側の第１山折線６沿いに１８０°折り曲げ、他側の第１山折線６での折り曲げを延ばし、表示板２同士が第１谷折線５沿いに１８０°折れ曲がって重なり合う状態で、扉板２１と背板２２との間に挟み込む。
【００２９】
一方、商品の説明等のため、この栞を開く際には、図８及び図９に示すように、両側の扉板２１を開くと、扉板２１の開度が大きくなるに従って、表示部材１の表示板２同士がなす角度が開き、表示板２の表面の印刷により、商品をＰＲすることができる。
【００３０】
そして、扉板２１の開度が１８０°に近づくと、図１０に示すように、表示部材１の各折曲部分が引き延ばされて、表示板２が反転するので、表示板２の裏面の印刷により、商品をＰＲすることができ、訴求効果を高めることができる。
【００３１】
また、上記のような栞は、表示部材１が他の部分と一体化されているので、製造に際して、ブランクを一時に打ち抜くことができ、扉板２１と折曲片２３とを糊付けして、表示部材１を折り曲げるだけで、簡単に製造することができる。
【００３２】
次に、この発明の第３実施形態として仕掛けを備えた栞について説明する。
【００３３】
この栞は、図１１に示すような板紙のブランクから形成される。このブランクでは、一対の扉板３１が背板等の他の部分を介することなく直接連設され、各扉板３１の一端に三角形の折曲片３２が連設されている。対向する折曲片３２の傾斜縁の間には、表示部材１が渡されている。
【００３４】
表示部材１には、隣接する一対の表示板２の両側に、中折片３及び端折片４が順次設けられ、表示板２同士の境界に第１谷折線５が、表示板２と中折片３との境界に第１山折線６が、中折片３と端折片４との境界に第２谷折線７がそれぞれ入れられている。
【００３５】
第１谷折線５に対して両側の第１山折線６は平行とされ、第１山折線６に対して両側の第２谷折線７は対称に４５°傾斜し、第２谷折線７に対して基折線８は９０°傾斜している。両側の第２谷折線７は、押罫線と切目から成るリード罫とされ、基折線８は、山折り用の押罫線とされている。
【００３６】
また、表示板２には、表面と裏面とに、商品の特徴等を強調したそれぞれ異なる文字や図柄が印刷されている。
【００３７】
上記のようなブランクから栞を形成するには、図１２に示すように、折曲片３２を内側に折り込んで、扉板３１の内面に折曲片３２を貼り付け、扉板３１を閉じるように折り曲げつつ、表示部材１を、基折線８沿いに折り返して、第１谷折線５、第１山折線６、第２谷折線７沿いに折り曲げる。
【００３８】
そして、扉板３１を完全に閉じ、表示部材１を、一側の第１山折線６沿いに１８０°折り曲げ、他側の第１山折線６での折り曲げを延ばし、表示板２同士が第１谷折線５沿いに１８０°折れ曲がって重なり合う状態で、一対の扉板３１の間に挟み込む。
【００３９】
一方、商品の説明等のため、この栞を開く際には、図１３に示すように、両側の扉板３１を開くと、扉板３１の開度が大きくなるに従って、表示部材１の表示板２同士がなす角度が開き、表示板２の表面の印刷により、商品をＰＲすることができる。
【００４０】
そして、扉板３１の開度が１８０°に近づくと、図１４に示すように、表示部材１の各折曲部分が引き延ばされて、表示板２が反転するので、表示板２の裏面の印刷により、商品をＰＲすることができ、訴求効果を高めることができる。
【００４１】
また、上記のような栞は、表示部材１が他の部分と一体化されているので、製造に際して、ブランクを一時に打ち抜くことができ、扉板３１と折曲片３２とを糊付けして、表示部材１を折り曲げるだけで、簡単に製造することができる。
【００４２】
なお、上記各実施形態では、一対の扉板１７，２１，３１間に１つの表示部材１を渡したものを例示したが、一対の扉板１７，２１，３１間に複数の表示部材１を渡すようにして、これらの表示板２が同時に反転するようにしてもよい。
【００４３】
また、栞形式のものでは、扉板２１，３１が一対のものを例示したが、扉板２１，３１を複数対繋ぎ合わせ、各対の扉板２１，３１間にそれぞれ表示部材１を渡し、各対の扉板２１，３１を段階的に開いて、表示部材１の表示板２を反転させるようにしてもよい。
【図面の簡単な説明】
【００４４】
【図１】訴求用仕掛けの第１実施形態に係る包装箱のブランクを示す図
【図２】同上の包装箱の扉体閉止状態を示す斜視図
【図３】同上の扉体開放の過程を示す斜視図
【図４】同上の表示板反転前の状態を示す斜視図
【図５】同上の表示板反転後の状態を示す斜視図
【図６】訴求用仕掛けの第２実施形態に係る栞のブランクを示す図
【図７】同上の栞の扉体閉止状態を示す斜視図
【図８】同上の扉体開放の過程を示す斜視図
【図９】同上の表示板反転前の状態を示す斜視図
【図１０】同上の表示板反転後の状態を示す斜視図
【図１１】訴求用仕掛けの第３実施形態に係る栞のブランクを示す図
【図１２】同上の栞の扉体閉止状態を示す斜視図
【図１３】同上の表示板反転前の状態を示す斜視図
【図１４】同上の表示板反転後の状態を示す斜視図
【図１５】従来の仕掛け付包装箱を示す斜視図
【符号の説明】
【００４５】
１  表示部材
２  表示板
３  中折片
４  端折片
５  第１谷折線
６  第１山折線
７  第２谷折線
８  基折線
１１  側壁
１２  端壁
１３  継代片
１４  底板
１５，１６  蓋受片
１７  扉板
１８  内側板
１９  内底板
２０  係止片
２１  扉板
２２  背板
２３  折曲片
３１  扉板
３２  折曲片
【図１】
2008120438.tif 000003
【図２】
2008120438.tif 000004
【図３】
2008120438.tif 000005
【図４】
2008120438.tif 000006
【図５】
2008120438.tif 000007
【図６】
2008120438.tif 000008
【図７】
2008120438.tif 000009
【図８】
2008120438.tif 000010
【図９】
2008120438.tif 000011
【図１０】
2008120438.tif 000012
【図１１】
2008120438.tif 000013
【図１２】
2008120438.tif 000014
【図１３】
2008120438.tif 000015
【図１４】
2008120438.tif 000016
【図１５】
2008120438.tif 000017